(57)【要約】      （修正有）【課題】錘部と結ばれた紐部の牽引によって収容している景品を排出する景品収容部を備えた遊戯装置において、錘部がより落ち易いように見せてプレーヤにゲームへの興味を湧かせる付属品を提供する。【解決手段】景品を面状に配列した状態で予め景品カートリッジ１１０に収容しておき、これを景品払出口２０近傍に固定されたステーに着脱自在に支持する。景品カートリッジ１１０の下側には、閂１８０でロックされた蓋部１７０が設けられている。閂１８０は固定テーブル６の端部に装着された拡張オプション３００に載置された錘１９０とヒモ１９２で連結されている。拡張オプション３００は、錘１９０が２つ載せるのは難しく見える程度に小面積で、先端に向けて先細りの形状を有し、錘１９０が落ち易い印象を与える。【選択図】図３
0003170040.tif 000002
【実用新案登録請求の範囲】
【請求項１】
遊技媒体が載置された固定テーブルの上面に沿ってスライドテーブルが遊技媒体払出口に向けて往復動し、前記遊技媒体払出口に落下した遊技媒体を払い出すとともに、前記固定テーブル上の遊技媒体の接触に伴って可動する可動物が前記固定テーブルから落下することにより景品又は当該可動物を払い出す遊戯装置の付属品であって、
前記可動物の置き場所でなる拡張テーブル部と、
前記拡張テーブル部を前記固定テーブルの端部に係合する係合部と、
を備えた付属品。
【請求項２】
前記拡張テーブル部は、上面が、前記固定テーブルと当接する側から反対側に向けて先細りの形状を成す
請求項１に記載の付属品。
【請求項３】
前記拡張テーブル部の上面が前記固定テーブルの上面より低い位置で係合するように係合位置を決める位置決め部を備える
請求項１又は２に記載の付属品。
【請求項４】
前記係合部は、前記固定テーブルの端縁部を挟持するクリップを有する
請求項１〜３の何れか一項に記載の付属品。
【請求項５】
前記係合部は、前記固定テーブルを拡張して前記可動物を載置可能とする通常姿勢で前記拡張テーブル部を支持し、所定荷重を超える荷重が加えられた場合に前記拡張テーブル部の前記通常姿勢での支持を解除する支持部を有する
請求項１〜４の何れか一項に記載の付属品。
【請求項６】
前記支持部は、
前記拡張テーブル部を揺動自在に支持するヒンジ部と、
前記ヒンジ部による前記拡張テーブル部の揺動位置を前記通常姿勢の位置に係合させ、前記所定荷重を超える荷重が加えられた場合に当該係合を解除する揺動位置係合部と、
を有する請求項５に記載の付属品。
【請求項７】
前記ヒンジ部は、前記拡張テーブル部を前記通常姿勢の位置と前記固定テーブル部の下面側に退避した退避位置とに揺動可能であり、
前記支持部は、更に、前記揺動位置係合部による係合が解除された場合に、前記拡張テーブル部を前記退避位置側に付勢する付勢部を有する
請求項６に記載の付属品。
【請求項８】
前記遊技装置は、前記可動物として錘部を備え、前記錘部と結ばれた紐部の牽引によって収容している景品を排出する景品収容部を備えてなり、
前記拡張テーブル部が、前記可動物としての前記錘部の置き場所でなる
請求項１〜７の何れか一項に記載の付属品。
【請求項９】
前記遊技装置は、前記可動物として錘部を備え、前記錘部と結ばれた紐部の牽引によって収容している景品を、前記固定テーブルの前記端部越しに前記遊技媒体払出口に向けて排出する景品収容部を備えてなり、
前記景品収容部からの景品排出方向と、前記通常姿勢に支持された前記拡張テーブル部とが抵触する配置構成でなる請求項５〜７の何れか一項に記載の付属品。
【考案の詳細な説明】
【技術分野】
【０００１】
本考案は、錘部と結ばれた紐部の牽引によって収容している景品を排出する景品収容部を備えた遊戯装置の付属品に関する。
【背景技術】
【０００２】
遊技媒体の移動に伴って景品を払い出す遊戯装置の一つとして、プッシャー型景品払出ゲーム装置がある。プッシャー型景品払出ゲーム装置は、景品を兼ねる遊技媒体をプレーヤの操作で作動するショベル等で運んで固定テーブル及びその上面に沿って往復スライド移動するスライドテーブル（プッシャーテーブル）上に載置させて遊ぶ。固定テーブル上に次々に遊技媒体を載せると、やがてそれらの遊技媒体がスライドテーブルの往復に伴って玉突き状に押されて移動し、やがて載せられた先から固定テーブルより押し落とされる。そして、落下した景品兼遊技媒体が上手く所定の景品払出口に入ればそれらはプレーヤに払い出される。プッシャー型景品払出ゲーム装置は、極めて簡単な操作且つ簡単なゲームルールでそれなりに景品を取る事ができることから特に女性や子供に人気である。
【０００３】
近年では、すくい上げられる景品兼遊技媒体とは別に特別な景品を収容した景品収容装置を設け、固定テーブル上で移動される遊技媒体と係合する錘に結ばれたヒモで作動させて、収容していた特別な景品を払い出すものが広く普及するようになった（例えば、特許文献１を参照）。これらは、上手くすれば大量に景品を得られる仕組みであり、プレーヤへの訴求力が高く遊技装置の稼働率を高める上では重要な要素となっている。
【先行技術文献】
【特許文献】
【０００４】
【特許文献１】特開２００７−２１５６６６号公報
【考案の概要】
【考案が解決しようとする課題】
【０００５】
通常、錘は固定テーブルの上に載置されるのであるが、固定テーブルの大きさは錘の大きさよりもずっと大きい。このため、遊技媒体によって錘が押されたとしてもなかなか固定テーブルから落ちにくい印象をプレーヤに与えてしまい、ゲームへの興味を削ぐことが懸念されるところであった。同様のことは、錘を、積み上げられたメダルや景品と見なせば、景品兼遊技媒体としてメダルを使用するメダルゲーム装置において固定テーブルの上にメダルを積み上げてこれを押させる形態や、固定テーブル上に景品を直接積み上げて押させる形態においても言える。
【０００６】
本考案はこうした実情を鑑みてなされたものであり、その目的とするところは、固定テーブル上の遊技媒体と接触して移動する可動物を固定テーブルから落下させると景品又は当該可動物を払い出す遊戯装置において、錘部がより落ちやすいように見せることである。より具体的には、可動物である錘と結ばれた紐部の牽引によって収容している景品を排出する景品収容部を備えた遊戯装置において、錘部がより落ちやすいように見せてプレーヤにゲームへの興味を湧かせることである。
【課題を解決するための手段】
【０００７】
上記の課題を解決する第１の考案は、遊技媒体が載置された固定テーブルの上面に沿ってスライドテーブル（例えば、図２のプッシャーテーブル８）が遊技媒体払出口に向けて往復動し、前記遊技媒体払出口に落下した遊技媒体を払い出すとともに、前記固定テーブル上の遊技媒体の接触に伴って可動する可動物（例えば、図２の錘１９０）が前記固定テーブルから落下することにより景品又は当該可動物を払い出す景品収容部（図２の景品収容装置１００）を備えた遊戯装置の付属品であって、
前記可動物の置き場所でなる拡張テーブル部（例えば、図９の拡張テーブル３０２）と、
前記拡張テーブル部を前記固定テーブルの端部に係合する係合部（例えば、図９のクリップ３０４）と、を備えた付属品（例えば、拡張オプション３００）である。
【０００８】
第１の考案によれば、固定テーブルの端部に可動物の置き場となる拡張部分をテーブル面の延長方向に突設し、固定テーブルに付属的に設けることができる。よって、付属品の上に載せられた可動物は固定テーブルに載せられている場合に比べて遥かに落ち易く見え、プレーヤにゲームへの興味を湧かせることができる。
【０００９】
更に、前記拡張テーブル部を、上面が、前記固定テーブルと当接する側から反対側に向けて先細りの形状を成すようにすると（第２の考案）、より可動物が落ち易い印象を与えることができ、好適である。
【００１０】
また更に、前記拡張テーブル部の上面が前記固定テーブルの上面より低い位置で係合するように係合位置を決める位置決め部（例えば、図９のストッパー３０８）を備えるならば（第３の考案）、固定テーブル上を移動してきた遊技媒体が拡張テーブル部に移動し易くできる。また、拡張テーブル部が僅かでも固定テーブルよりも低い位置にあることで、視覚的に付属品が固定テーブルから突設されていることを強調し、更に可動物の落ち易さを印象付けることができる。
【００１１】
そして更に、前記係合部が、前記固定テーブルの端縁部を挟持するクリップを有する構造とするならば（第４の考案）、付属品の着脱が容易となる。よって、景品収容部の仕様に応じた適切な位置に付属品を移動させることも容易であり、また付属品の取り付け位置を変更して見た目に変化を与えるといった遊戯装置を運用している現場での演出も可能になる。
【００１２】
また、前記係合部が、前記固定テーブルを拡張して前記可動物を載置可能とする通常姿勢で前記拡張テーブル部を支持し、所定荷重を超える荷重が加えられた場合に前記拡張テーブル部の前記通常姿勢での支持を解除する支持部（例えば、図１５の取付係合部３５０）を有する構成とすることができる（第５の考案）。
【００１３】
この場合、付属品に基準以上の外力が作用した場合に通常の取付姿勢から解除されることでこの外力を逃がすことができる。例えば、保守者が作業中に不用意に荷重をかけた場合でも付属品や固定テーブルの破損を防止することができる。また、付属品が固定テーブルの拡張部として機能することを考慮すれば、景品払出時に景品が拡張テーブル部に落下衝突する事象が起きたとしても、景品の落下を阻害し景品が引っかかるといったことを防ぐことができる。
【００１４】
更に、前記支持部が、前記拡張テーブル部を揺動自在に支持するヒンジ部（例えば、図１５のヒンジ３５４）と、前記ヒンジ部による前記拡張テーブル部の揺動位置を前記通常姿勢の位置に係合させ、前記所定荷重を超える荷重が加えられた場合に当該係合を解除する揺動位置係合部（例えば、図１５のマグネット３３２、固定部３４０、挟持プレート３４２）と、を有する構成とするならば（第６の考案）、通常姿勢が解除された後もヒンジ部で揺動させて容易に元の通常姿勢に戻すことができるので保守管理の観点から好適である。
【００１５】
また更に、前記ヒンジ部が前記拡張テーブル部を前記通常姿勢の位置と前記固定テーブル部の下面側に退避した退避位置とに揺動可能であり、前記支持部が、更に、前記揺動位置係合部による係合が解除された場合に、前記拡張テーブル部を前記退避位置側に付勢する付勢部（例えば、図１５のスプリング３５２）を有する構造とすることもできる。
この場合、付勢部によって確実に拡張テーブル部を退避させることで、通常姿勢が解除された付属品がそれ以降の遊技の邪魔にならないようにできる。
【００１６】
こうした、拡張テーブル部に作用する荷重に応じて、拡張テーブル部を通常姿勢での支持から解除可能にする構造の効果は、前記遊技装置が、前記可動物として錘部を備え、前記錘部と結ばれた紐部の牽引によって収容している景品を、前記固定テーブルの前記端部越しに前記遊技媒体払出口に向けて排出する景品収容部（例えば、図１８の景品カートリッジ１１０−２）を備えてなり、前記景品収容部からの景品排出方向と、前記通常姿勢に支持された前記拡張テーブル部とが抵触する配置構成でなる（第９の考案）場合に、特に効果的である。
すなわち、景品収容部から払い出された景品が拡張テーブル部に落下衝突したとしても、景品の落下を阻害し景品が引っかかるといったことを防ぐことができる。
【００１７】
また、前記遊技装置が、前記可動物として錘部を備え、前記錘部と結ばれた紐部の牽引によって収容している景品を排出する景品収容部を備えた構成とするならば（第８の考案）、付属品によって錘部がより落ちやすいように見せてプレーヤにゲームへの興味を湧かせることができる。
【考案の効果】
【００１８】
本考案によれば、固定テーブルの端部に可動物の置き場となる拡張部分をテーブル面の延長方向に突設し、固定テーブルに付属的に設けることができる。よって、付属品の上に載せられた可動物は固定テーブルに載せられている場合に比べて遥かに落ち易く見え、プレーヤにゲームへの興味を湧かせることができる。
【図面の簡単な説明】
【００１９】
【図１】プッシャー型景品払出ゲーム装置の斜視外観図。
【図２】景品収容装置の正面図。
【図３】固定テーブルの先端周りを側面から見た部分縦断面図。
【図４】ステーの（ａ）正面図及び（ｂ）Ｂ−Ｂ断面図。
【図５】景品カートリッジの構成例を示す三面図であって、（ａ）正面図、（ｂ）正面向かって右側から見たＣ−Ｃ縦断面図、（ｃ）下面図。
【図６】景品カートリッジの主要部品の分解図であって、（ａ）正面図、（ｂ）正面向かって右側面図。
【図７】蓋部の景品カートリッジの下側側から見た横断面図であって、（ａ）閂が入った状態、（ｂ）閂が抜けた状態を示す図。
【図８】景品カートリッジの縦断面図であって（ａ）蓋部が閉じた状態、（ｂ）蓋部が開いた状態を示す図。
【図９】拡張オプションの構成例を示す図であって、（ａ）上面視取り付け図、（ｂ）Ｅ−Ｅ断面図、（ｃ）取り付け側（後側）から見た背面図。
【図１０】景品セットの構成例を示す図であって、（ａ）正面図、（ｂ）下側面図。
【図１１】景品収容装置の使い方・動作について説明するための図。
【図１２】景品収容装置の使い方・動作について説明するための図。
【図１３】景品収容装置の使い方・動作について説明するための図。
【図１４】景品収容装置の使い方・動作について説明するための図。
【図１５】第２実施形態における拡張オプションの構成例を示すための固定テーブルの先端周りを側面から見た部分縦断面図。
【図１６】第２実施形態における拡張オプションの構成例を示すための斜視分解図。
【図１７】第２実施形態における拡張オプションの使用形態を示すための固定テーブルの先端周りを側面から見た部分縦断面図。
【図１８】第２実施形態における拡張オプションの使用形態を示すための固定テーブルの先端周りを側面から見た部分縦断面図。
【図１９】拡張オプションの変形例を示すための固定テーブルの先端周りを側面から見た部分縦断面図。
【図２０】景品カートリッジの変形例を示す正面図。
【図２１】仕切り板の変形例を示すＦ−Ｆ横断面図。
【図２２】景品カートリッジの側壁に溝を設けて仕切り板を取り付ける変形例を示すＦ−Ｆ断面図。
【考案を実施するための形態】
【００２０】
〔実施形態〕
次に、遊技媒体の移動に伴って景品を払い出す遊戯装置の一つとして、プッシャー型景品払出ゲーム装置を例に挙げ、これに設置される景品収容装置、及び同景品収容装置の設置に伴って固定テーブルに取り付けられる付属品について説明する。
【００２１】
図１は、本実施形態におけるプッシャー型景品払出ゲーム装置２を示す斜視外観図である。また、図２は、本実施形態における景品収容装置１００の構成例を示す正面外観図である。図３は、固定テーブル６の先端周りを側面から見た部分縦断面図であり、景品収容装置１００は図２のＡ−Ａ断面を示している。
尚、図１では景品収容装置１００は一台のみ記しているが、実際には各固定テーブル６に対応してそれぞれ景品収容装置１００が設定される。また、図２及び図３は景品未収納の状態を示している。
【００２２】
図１に示すように、本実施形態におけるプッシャー型景品払出ゲーム装置２は、基本的には公知のプッシャー型景品払出ゲーム装置と同様の構成を有し、上面視十字方向に固定テーブル６とプッシャーテーブル８とが配置され、最大４人が同時にプレイすることのできるレイアウトを有する。
【００２３】
プレーヤが操作台１０の前に立ち、所望するタイミングで操作台１０の上面に設けられた第１ボタンスイッチ１２を操作すると、制御基板５０によって対応する固定テーブル６に隣接された自動ショベル１４が作動を開始する。自動ショベル１４は、その腕を伸ばして固定テーブル６の下に設けられた環状溝部１６の底面に設けられた自動回転テーブル１８に載置された景品兼遊技媒体５をすくい上げて、腕を元に戻して一旦止まる。ここで、プレーヤが第２ボタンスイッチ１３を操作すると、自動ショベル１４はすくい上げている遊戯媒体５を放出する。すなわち、自動ショベル１４は、プレーヤの操作入力に応じて遊技媒体５を固定テーブル６或いはプッシャーテーブル８上に運搬するように自動制御される。
【００２４】
固定テーブル６及びプッシャーテーブル８に次々に遊戯媒体５を載せてゆくと、それらの遊技媒体５はプッシャーテーブル８の景品払出口２０へ向けた自動往復動に伴って次々に玉突き状に押され、やがて固定テーブル６の左右や前端から落下するようになる。固定テーブル６の前端から落下した遊技媒体５は、固定テーブル６の前端直下に開口した景品払出口２０に入り、景品取出口２２に払い出される。
【００２５】
さて、本実施形態のプッシャー型景品払出ゲーム装置２は、特別な景品を収容する景品収容装置１００を備える。
図２及び図３に示すように、景品収容装置１００は、景品払出口２０の左右に渡って固定されたステー１０２で、固定テーブル６の前端上方において景品カートリッジ１１０を着脱自在に支持する。景品カートリッジ１１０は、景品を収容できる厚さを有した平たい箱形の外形を有し、正面（図２で言うところの正面、図３で言うところの左面）をプレーヤに向け、下端開口部１１２（図３参照）を景品払出口２０に向けて斜めに支持され、収容した景品をディスプレイする。
【００２６】
図３に示すように、下端開口部１１２を閉じている蓋部１７０の閂（かんぬき）１８０には、固定テーブル６の前端に装着された付属品である拡張オプション３００に載置された錘１９０に結ばれたヒモ１９２が着脱自在な金具１９４によって繋がれている。錘１９０が固定テーブル６上の遊技媒体の移動に伴って押され拡張オプション３００から落下すると、ヒモ１９２が引かれるのに伴って閂１８０が抜けて蓋部１７０が開き、収容されていた景品が景品払出口２０へ向けて自重で滑落して排出される。
【００２７】
［景品収容装置の構成］
次に、景品収容装置１００の構成について具体的に説明する。
図４は、本実施形態におけるステー１０２の（ａ）正面図及び（ｂ）Ｂ−Ｂ断面図である。ステー１０２は、左右の支柱１０４と、これらを連結する背もたれ板１０６とを備える。
【００２８】
左右の支柱１０４の下端外形寸法Ｌ１は、景品払出口２０の入口内壁の横幅に合わせてあり、支柱１０４の下部のネジ穴１０７にボルト３０（図３参照）を通して景品払出口２０の入口の内側壁に固定される。
また、左右の支柱１０４は、それぞれ長手方向中程で外向きに屈曲又は湾曲され、上端内寸Ｌ２が景品カートリッジ１１０の横幅より大きくなるように設定されている。
また、左右の支柱１０４の上部には背もたれ板１０６が渡されており、背もたれ板１０６の下端よりも下方内側には、上方に切り欠き部１０８ａを備えたＬ字片１０８が互いに向かい合う位置で設けられている。
【００２９】
図５は、本実施形態における景品カートリッジ１１０の構成例を示す三面図であって、（ａ）正面図、（ｂ）正面向かって右側から見たＣ−Ｃ縦断面図、（ｃ）下面図に相当する。図６は、景品カートリッジ１１０の主要部品の分解図であって、（ａ）正面図、（ｂ）正面向かって右側面図に相当する。
【００３０】
景品カートリッジ１１０は、（１）金属板或いは樹脂板で形成された左右の側壁１２０を、視認窓部の機能を果たす中央のくり貫き部１２２ａを有する背面板１２２で連結した断面コの字状の本体ケース１２４と、（２）背面板１２２の下端に蝶番１２３で連結されて下端開口部１１２を開閉自在に塞ぐ蓋部１７０と、（３）正面及び上端開口部を塞ぐ正面カバー１２６とを備える。本体ケース１２４と蓋部１７０と正面カバー１２６で囲まれた直方体空間が特別な景品を収容する景品収容室１２８となる。景品収容室１２８の中には、横断面視コの字状の仕切り１３０が着脱自在に挿入される。
【００３１】
仕切り１３０は、景品カートリッジ１１０の正面と平行な主仕切り板１３０ａの両端に側板１３０ｂが立設されてなる。その左右外寸Ｌ３は景品収容室１２８に軽密着する程度又は僅かに小さくなるように設定されている。本実施形態では、仕切り１３０によって、景品収容室１２８の室内空間を奥行き方向に狭めて景品収容室１２８ａとし、複数の景品を正面寄りに配列可能とさせる。
このように、仕切り１３０によって景品カートリッジ１１０の内空間を正面より向かって奥行き方向に厚さの異なる２つの景品収容室１２８（１２８ａ、１２８ｂ）を画成しているが、透明アクリルなど光透過性材で成形されているので、正面側・背面側の何れの景品収容室１２８（１２８ａ、１２８ｂ）についても、外から内を視認できるようになっている。
【００３２】
尚、仕切り１３０は、側板１３０ｂを背面側に向けた姿勢に限らず、正面側に向けて挿入して使用することもできる。この場合、景品収容室１２８は区画されずに一体として使用可能となり、主仕切り板１３０ａは、背面板１２２のくり貫き部１２２ａを閉じて収容される景品が背面側に落ちないように作用する。
【００３３】
左右両方の側壁１２０の下端外側面には、支柱１０４のＬ字片１０８の切り欠き部１０８ａと嵌合する嵌合突起１２０ａが突設されている。この嵌合突起１２０ａがステー１０２のＬ字片１０８と係合し、嵌合突起１２０ａを支点にして景品カートリッジ１１０が背面でステー１０２の背もたれ板１０６に当接して寄り掛かることで、景品カートリッジ１１０がステー１０２に支持・固定される。
【００３４】
また、正面向かって左側の側壁１２０の下端には、蓋部１７０の閂１８０の先端が挿入される閂孔１２０ｂが穿設されている。
また、左右両方の側壁１２０の内側面下端、閂孔１２０ｂよりも上方側には、内向きに仕切り支持突起１２０ｃが突設されている。この仕切り支持突起１２０ｃに、景品収容室１２８に挿入された仕切り１３０の側板１３０ｂの下端が当接することで、景品カートリッジ１１０がステー１０２に取り付けられた時に仕切り１３０が落下するのを防止する。
【００３５】
また、左右両方の側壁１２０の内側壁には、上端から下端にかけて正面カバー１２６が嵌合可能な正面カバー嵌合溝１２０ｄを備える。正面カバー１２６は、その左右両端を正面カバー嵌合溝１２０ｄ内に嵌合させるようにして差し込むことで、側壁１２０に係合される。
【００３６】
正面カバー１２６は、透明アクリルなどの透明材料で形成されており、その上端背面側には先端が下方に屈曲したストッパー片１２６ａが延設されている。ストッパー片１２６ａの先端は更に内向きの突部１２６ｂを形成する（図６参照）。
この突部１２６ｂは、正面カバー１２６を正面カバー嵌合溝１２０ｄにスライド嵌合させて最後まで押し込むと、本体ケース１２４の背面、背面板１２２の上部に設けられた嵌合溝１２２ｂに嵌合して、正面カバー１２６が容易に抜けないようにストッパーとして機能する。
【００３７】
図７は、本実施形態における蓋部１７０の景品カートリッジ１１０の下側面側から見た横断面図（図５のＤ−Ｄ断面）であって、（ａ）閂１８０が入った状態、（ｂ）閂１８０が抜けた状態を示している。
【００３８】
図６及び図７に示すように、蓋部１７０は、本体ケース１２４の下端開口部１１２を覆う底板１７２と、閂１８０と、閂１８０のホルダ１７４と、閂１８０のガイド孔を有するガイド片１７６と、閂１８０を抜き方向に付勢するスプリング１７８とを備える。
【００３９】
閂１８０は、本体ロッド１８２と、その右部にて直角に延設されたロック片１８４と、右端の挿通孔１８６とを備える。
【００４０】
ホルダ１７４は、板金等によって形成された左右に長い箱体であり、長手方向が底板１７２の左右方向に合わせて設けられている。ホルダ１７４の（景品カートリッジ１１０の正面向かって）左側壁には閂１８０の本体ロッド１８２をガイドするガイド孔１７４ａを備え、右側壁は閂１８０を抜き方向（図６及び図７で言うところの右方向）に付勢するスプリング１７８の右端を係止する係止片１７４ｂでなる。
【００４１】
また、ホルダ１７４の正面側側壁（図７では奥側壁）から下側側壁（図７では上側壁；開口部１１２の開口方向の側壁）に渡って、Ｌ字状のロック片ガイド溝１７４ｃが設けられている。同ガイド溝の一辺は閂１８０の軸方向に沿って左右に設けられ、他辺は軸に直角方向を向いている。
よって、閂１８０は、左端をガイド片１７６とホルダ１７４のガイド孔１７４ａに挿通されるとともにロック片１８４をロック片ガイド溝１７４ｃに挿入され、右端にスプリング１７８の左端が係合されることによって、抜き方向に付勢された状態で軸方向にスライド自在、且つ軸周りに９０度回転自在に支持されている。
【００４２】
図８は、景品カートリッジ１１０の縦断面図であって（ａ）蓋部１７０が閉じた状態、（ｂ）蓋部１７０が開いた状態を示している。
図６、図７（ａ）及び図８（ａ）に示すように、蓋部１７０を閉じた状態で維持するには、ロック片１８４をロック片ガイド溝１７４ｃの左右方向の溝に沿って引きながら閂１８０を左方にスライドさせてその先端を閂孔１２０ｂに差し込む。そして、その状態でロック片１８４をロック片ガイド溝１７４ｃの閂１８０の軸に対して直角向きの溝に挿入するようにして閂１８０を軸周りに回転させる。閂１８０はスプリング１７８によって抜き方向に付勢されているが、ロック片１８４がロック片ガイド溝１７４ｃの直角向きの溝に係止されることで閂が掛かった状態が維持される。
【００４３】
反対に、この状態からロック片１８４が閂１８０の軸周り下側に向けて回転すると、ロック片１８４はロック片ガイド溝１７４ｃの左右方向の溝の位置に移動する。すると、図７（ｂ）に示すように、スプリング１７８の付勢力で閂１８０は引き抜かれ、図８（ｂ）に示すように、蓋部１７０が自重で蝶番１２３を軸に揺動して開く。
【００４４】
そして、本実施形態ではロック片１８４の先端には、錘１９０から連繋するヒモ１９２の係合金具１９４が結ばれる。錘１９０が落下するとヒモ１９２が引かれてロック片１８４を回転させて蓋部１７０を開けるように作動させることができる。つまり、錘１９０が落ちることによるヒモ１９２及び係止金具１９４の作動が蓋部１７０の開蓋作動部として機能する。
開蓋作動部をこうした構成とすることで、プレーヤに、どうすれば蓋部１７０が開くかが一目りょう然となる。また、製造コストの低減にも寄与する。
【００４５】
本実施形態では、錘１９０は、固定テーブル６の端部に装着される拡張オプション３００に載せられる。
図９は、本実施形態における拡張オプション３００の構成例を示す図であって、（ａ）上面視取り付け図、（ｂ）Ｅ−Ｅ断面図、（ｃ）取り付け側（後側）から見た背面図である。
同図に示すように、拡張オプション３００は、上面視、前端先細りな形状を有する拡張テーブル部３０２と、その後端に設けられた固定テーブル６に固定させるためのクリップ３０４とを備える。
【００４６】
拡張テーブル３０２は、錘１９０を一つは載せられるが二つ載せるのは難しい程度の面積の上側面を有する。また、その横幅（同図で言うところの上下の幅）は、固定テーブル６の前端に複数の拡張オプション３００が装着できる程度の大きさに設定されている。つまり、錘１９０がちょっと押されると落ちそうな場所に載っているように見せることができる。
【００４７】
クリップ３０４は、断面Ｕ字状に板金等を曲げて形成され、拡張テーブル部３０２の後端に、開口部を上向きにしてビス３０６によって固定されている。クリップ３０４の開口部幅は固定テーブル６の外縁の幅よりも小さく設定されており、固定テーブル６の外縁を開口部内へ押し込むと弾性でこれを挟持することができる。
【００４８】
また、クリップ３０４の外側上端は屈曲されてストッパー３０８を形成する。拡張オプション３００を固定テーブル６に装着するとき、このストッパー３０８が固定テーブル６の内面（天板の裏面）に当接して位置決めをする。ストッパー３０８で位置決めされると、拡張テーブル３０２の上側は固定テーブル６の上側と同じ高さ或いは僅かに下になる。
このことによって、拡張オプション３００が固定テーブル６からテーブル面の延長方向に突設し、付属的に設けられた状態であることをより印象付け、また載置される錘１９０がより落ちやすいように見せる視覚的効果を生む。また、固定テーブル６上を移動する遊技媒体５が固定テーブル６と拡張オプション３００との間の結合部で引っかかることなくスムーズに拡張オプション３００に移動できる効果も生む。
【００４９】
図１０は、本実施形態において景品カートリッジ１１０に収容される景品セット４００の構成例を示す図であって、（ａ）正面図、（ｂ）下側面図に相当する。
本実施形態では、景品収容室１２８ａには同型で包装色違いの景品４０２が多数、面状に配列して収容される。景品セット４００は、その景品４０２が予め景品収容室１２８ａのサイズに組み合わされたパッケージであり、プッシャー型景品払出ゲーム装置２のメーカなどから販売される。
【００５０】
本実施形態における景品セット４００は、景品４０２を縦横のマトリクス状に配置するとともに、包装色の違いを利用してドット絵を描くようにして紙トレー４０４の上に配列し、それらを透明セロファン包装４０６で一体に包んでパッケージ化されている。景品４０２の配列の仕方は、同図に示すようなスマイルマークのドット絵に限らず、記号や文字、キャラクタでも良い。また、モザイクや市松模様などのテキスタイルパターンでも良い。また、景品４０２の配列数も同図の例に限らず、例えば景品４０２が縦長で横方向にのみ配列可能な場合には、カラフルな縦縞模様などとすることもできる。
【００５１】
景品セット４００を景品カートリッジ１１０にセットする際、包装が解かれずにそのまま景品カートリッジ１１０の景品収容室１２８ａに収容するとしても良いが、予め包装を解いておくと景品４０２の排出時にばらばら落下する態様をとるので、見た目が派手であり好ましい。
【００５２】
透明セロファン包装４０６は、景品４０２のドット絵の下側に開封用のヒモ４０８を内在しており、これを引く事で容易に包装の下端を外すことができるようになっているので、プッシャー型景品払出ゲーム装置２の管理者は、透明セロファン包装４０６の下側のみ開封して紙トレー４０４を傾けて滑り落とす要領で、景品４０２の配置を崩すことなく容易に景品収容室１２８へ配置・補充することができる。
【００５３】
［動作の説明］
次に、図１１〜図１３を参照して、本実施形態における景品収容装置１００の使い方・動作について説明する。
使用に当たっては、先ずステー１０２を予めプッシャー型景品払出ゲーム装置２に取り付けておき、拡張オプション３００を固定テーブル６の前端に装着しておく。また、同装置の管理者は予め景品セット４００（又はそれを開封したバラの景品４０２）を補充した複数の景品カートリッジ１１０と、ヒモ１９２及び金具１９４が繋がれた錘１９０とを用意しておくものとする。尚、ここでは景品４０２をバラで収容するものとして図示するが、景品セット４００を、包装を解かずに収容しても良いのは勿論である。また、景品収容室１２８ａに補充される景品セット４００を複数とすることもできる。
【００５４】
景品カートリッジ１１０を装着するには、図１１に示すように、景品カートリッジ１１０の蓋部１７０を下向きにして、左右の係合突起１２０ａをステー１０２のＬ字片１０８の切り欠き部１０８ａに嵌め込む。そして、係合突起１２０ａを支点にして、景品カートリッジ１１０の背面を背もたれ板１０６に寄り掛からせる。
【００５５】
次に、図１２に示すように、錘１９０を拡張オプション３００の拡張テーブル３０２に載置して、金具１９４を景品カートリッジ１１０の閂１８０のロック片１８４に掛けて固定する。これで、ゲーム可能な状態となる。
【００５６】
ゲームが進行して、やがて固定テーブル６に載置された景品兼遊技媒体５が錘１９０を押し、錘１９０が拡張オプション３００から落下すると、図１３に示すように、ヒモ１９２が引かれることで、ロック片１８４が軸周りに回される。すると、ロック片１８４がＬ字状のロック片ガイド溝１７４ｃの軸方向沿いの溝に移動して、スプリング１７８によって閂１８０の軸方向右側に移動し、閂１８０が抜かれる。
スプリング１７８によって閂１８０が抜かれると、蓋部１７０が自重で蝶番１２３を支点に揺動して蓋が開き、景品収容室１２８に収容されていた景品４０２が自重で滑落して排出され、直下に開口する景品払出口２０へ入る。
【００５７】
景品カートリッジ１１０から景品が払い出されてしまったならば、管理者は金具１９４を外して別の景品カートリッジ１１０に交換すれば良く、すぐにゲームを再開することができる。尚、別の景品カートリッジ１１０に別の金具１９４、ヒモ１９２及び錘１９０が接続されて予め用意されている場合には、金具１９４の取り外し・取り付け作業を行う必要もなく、別の景品カートリッジ１１０を交換すれば済む。或いは、別の景品カートリッジ１１０の用意が無くとも、一旦景品カートリッジ１１０を外して景品セット４００を補充するだけで、ディスプレイに凝った景品配列ですぐさまゲームを再開することができる。
【００５８】
また、仮に景品カートリッジ１１０の交換が遅れたとして、景品カートリッジ１１０の背面板１２２は中央がくり貫かれているので、同カートリッジ越しに固定テーブル６やプッシャーテーブル８の様子を見る事ができるので、ゲームプレイの継続に支障が無い。
【００５９】
例えば、景品収容室１２８は、景品カートリッジ１１０の正面側の景品収容室１２８ａに限らず、例えば図１４に示すように、背面側の景品収容室１２８ｂを用いるとしても良い。背面側の景品収容室１２８ｂは、正面側の景品収容室１２８ａに比べて奥行き方向に厚みがあるので、比較的厚さのある景品４０４を利用する場合に好適である。この場合、背面板１２２のくり貫き部１２２ａに透明アクリル板１２７などを嵌め込んでおいて、背面側に景品４０４が落ちないようにするとより好適である。
【００６０】
〔第２実施形態〕
次に、本考案を適用した第２実施形態について説明する。本実施形態は基本的に第１実施形態と同様の構成を有するが、拡張オプションに所定荷重を超える荷重が加えられた場合に通常の取付姿勢が解除され固定テーブル６の下面側に退避するように揺動する可倒式である点が異なる。尚、第１実施形態と同様の構成要素については同じ符合を付与して説明は省略するものとする。
【００６１】
図１５は、本実施形態における拡張オプション３００Ｂの縦断面図であり、図１６は、拡張オプション３００Ｂの斜視分解図である。
拡張オプション３００Ｂは、第１実施形態における拡張テーブル部３０２に相当する拡張テーブル部３２０と、この拡張テーブル部３２０を固定テーブル６の前端に可倒式に取り付けるための取付係合部３５０と、を備える。
【００６２】
拡張テーブル部３２０の外殻３２２の内部上部側には、有底円筒状のマグネット嵌合部３２４が後方向きに突設されている。マグネット嵌合部３２４には、取付係合部３５０の一部であるマグネット３３２が固定される。より具体的には、一端に軟性樹脂キャップ３３０が固着された円筒状のマグネット３３２の一端側がマグネット嵌合部３２４に圧入固定される。
また、拡張テーブル部３２０の外殻３２２の下部にはビス孔３２８が設けられている。
【００６３】
取付係合部３５０は、マグネット３３２と、ヒンジ３５４を介して揺動自在に連結されたメインプレート３５６及びサブプレート３５８と、メインプレート３５６を固定テーブル６の前端リブ６ａに固定するための固定部３４０とを有する。
【００６４】
固定部３４０は、固定テーブル６の前端リブ６ａを挟んでメインプレート３５６の反対側に配置される挟持プレート３４２と、スペーサ３４４と、このスペーサ３４４を介してメインプレート３５６と挟持プレート３４２とを締結するビス３４６とを有する。尚、挟持プレート３４２はマグネット３３２が吸着できる材料で作られ、ビス３４６を通すビス孔３４８を備える。
【００６５】
メインプレート３５６は、上端がＬ字状に屈曲されて第１実施形態と同様のストッパー３０８を形成し、その下端で固定テーブル６の左右方向（図１５で言うところの図面手前／奥方向）に揺動軸を向けたヒンジ３５４でサブプレート３５８と連結されている。また、上下幅中央付近には、ナット部３５７が形成されている。このナット部３５７は、例えば圧入式のセルフクリンチングナットやウェルドナット、単なるねじ穴でも良い。
【００６６】
ヒンジ３５４には、揺動軸にスプリング３５２が設けられており、メインプレート３５６を固定状態とした場合、サブプレート３５８をストッパー３０８の屈曲方向（図１５で言うところの反時計回り）に揺動するように付勢する。
【００６７】
サブプレート３５８は、ナット部３５９を備える。このナット部３５９は、例えば圧入式のセルフクリンチングナットやウェルドナット、単なるねじ穴でも良い。
サブプレート３５８の左右横幅（図１５で言うところの手前／奥方向の幅）は、拡張テーブル部３２０の外殻３２２の下部内側左右幅より小さく、サブプレート３５８を外殻３２２の内側に挿入し下端部に当接させることができる。ナット部３５９にビス孔３２８を通ったビス３６０が螺合されることによって、拡張テーブル部３２０と取付係合部３５０とが連結される。
【００６８】
拡張オプション３００Ｂの取付手順は次の通りである。
先ず、サブプレート３５８を拡張テーブル部３２０の下端部内側に挿入し、外殻３２２の下端部に内側から当接させ、ビス３６０で拡張テーブル部３２０と取付係合部３５０とを固定する。
【００６９】
次に、ストッパー３０８の屈曲方向を固定テーブル６の後端向き（図１５で言うところの右側、固定テーブル６の付け根向き）にし、更に上端面を固定テーブル６の裏面側天井部に突き当てるようにして、メインプレート３５６を固定テーブル６の前端のリブ６ａの背面に配置する。そして、同リブ６ａの板厚より僅かに薄いスペーサ３４４を介在させて、同リブ６ａの前面側に配置された挟持プレート３４２をビス３４６でナット部３５７に固定する。つまり、固定部３４０はメインプレート３５６と挟持プレート３４２とで前端リブ６ａを挟持・係合するクリップとしての機能を果たし、取付係合部３５０によって拡張オプション３００Ｂは固定テーブル６の前端に係合し固定される。
【００７０】
この段階では、ヒンジ３５４が開いたままであり、拡張テーブル部３２０は倒れた状態である。そこで、ヒンジ３５４を軸として拡張テーブル部３２０を上方に向けて揺動させて、マグネット３３２を挟持プレート３４２に吸着させる。この状態が、拡張テーブル部３２０の通常姿勢となる。
【００７１】
マグネット３３２の大きさや磁力は、挟持プレート３４２への吸着力がスプリング３５２の付勢力によってヒンジ３５４が開こうとする力を上回るよう設定されている。従って、拡張オプション３００Ｂは、拡張テーブル部３２０が上端面を上にして、第１実施形態の拡張オプション３００と同様に固定テーブル６の前端から前方へ突設された（立った）状態となり、錘１９０の置き場として機能する。
【００７２】
図１７は、本実施形態における拡張オプション３００Ｂの使用形態を示すための固定テーブルの先端周りを側面から見た部分縦断面図である。
本実施形態における景品カートリッジ１１０−２は、基本的に第１実施形態における景品カートリッジ１１０と同様の構造を有するが、景品収容室１２８ｂの奥行きがより大きく設定されており、景品収容室１２８ｂに箱入りチョコレートなど大型で重量のある景品４１０を収容可能になっている。
【００７３】
景品カートリッジ１１０−２に収容されている景品４１０が滑落する景品排出方向に固定テーブル６の前端の拡張オプション３００Ｂが位置する。この状態で、拡張オプション３００Ｂの上に置かれた錘１９０が落下すると、第１実施形態と同様にして閂１８０が外れて蓋部１７０が開き、収容されていた景品４１０が自重で滑落を開始する。そして、景品カートリッジ１１０−２から排出された景品４１０は、図１８に示すように拡張オプション３００Ｂの上面に衝突することになる。
【００７４】
この衝突に伴う外力は、拡張オプション３００Ｂの拡張テーブル部３２０を、ヒンジ３５４を支点に揺動する方向に作用する。一方、マグネット３３２の大きさや磁力は、マグネット３３２が挟持プレート３４２に吸着する力がこの衝突に伴う外力を上回らないように適当に設定されている。つまり、取付係合部３５０は、ヒンジ３５４で拡張テーブル部３２０を揺動自在に支持する支持部として機能するとともに、マグネット３３２を挟持プレート３４２に吸着させることで揺動位置を通常姿勢に係合させ、景品４１０の落下・衝突による荷重でマグネット３３２の吸着係合が解除された場合には、拡張テーブル部３２０を自重とスプリング３５２の付勢力で固定テーブル６の下面側に揺動させて退避させることができる。
【００７５】
よって、景品４１０の衝突荷重によって拡張テーブル部３２０は固定テーブル６の前端から離脱し、自動的に固定テーブル６の下面側の退避位置に退避される。従って、景品４１０が拡張オプション３００Ｂに衝突したとしても、そこで引っかかること無く景品払出口２０に無事払い出されることとなる。
【００７６】
一方、拡張オプション３００Ｂが固定テーブル６の下方に退避されることによって、景品カートリッジ１１０−２からの景品４１０が払い出された後であっても、通常の遊技継続において何ら支障はない。そして、景品カートリッジ１１０−２を交換する際には、拡張テーブル部３２０を手動で揺動させてマグネット３３２を挟持プレート３４２に吸着させさえすれば良く、復帰作業が容易である。
【００７７】
尚、拡張テーブル部３２０をスプリング３５２の付勢力に打ち勝って通常姿勢を維持する構造は、マグネット３３２による挟持プレート３４２への吸着に限らず、所定荷重が加えられると分離する構造であれば良いので、例えば吸盤や面ファスナー、ホック、粘着シートなどに代替することができる。
【００７８】
また、固定テーブル６の前端から離脱して倒位状態となった拡張テーブル部３２０を、固定テーブル６の下面側の退避位置に付勢・退避させる構造として、ヒンジ３５４とスプリング３５２とを用いたがこれらに限らない。
例えば図１９の拡張オプション３００Ｃのように、ヒンジ３５４を省略し、メインプレート３５６の下端に設けられたコイルスプリング固定部３７０と、拡張テーブル部３２０の外殻３２２の下端外向きに突設されたコイルスプリング固定部３７２とを、コイルスプリング３７４で連結し、コイルスプリング３７０を曲げるようにして拡張テーブル部３２０を通常姿勢にする構成としても良い。
【００７９】
また、取付係合部３５０の取付位置を、固定テーブル６の前端のリブ６ａよりも奥側（固定テーブル６の付け根側）のリブ６ｂに取り付けるならば、付勢・退避させる構造そのものを省略して、取付係合部３５０と拡張テーブル部３２０とを単に紐で連結しただけの構成とすることもできる。この場合でも、拡張テーブル部３２０が固定テーブル６から離脱すると自重によってブランコ状態となり自然と固定テーブル６の下方に退避されることとなる。
【００８０】
〔変形例〕
以上、本考案を適用した実施形態について説明したが、本考案の適用形態がこれに限定されるものではなく、考案の趣旨を逸脱しない限りにおいて適宜構成要素の変更・追加・省略をすることができる。
【００８１】
また、景品カートリッジ１１０の蓋部１７０の数は一つに限らず、例えば図２０に示すように、中央から左右それぞれに蓋部１７０Ｒ，１７０Ｌを設ける構成としても良い。その場合、例えば図２１に示すように、景品収容室１２８も中央から左右に分割されるように、仕切り１３０に中央仕切り１３０ｃを追加して立設すると好適である。
また、左右それぞれに蓋部１７０Ｒ，１７０Ｌを設ける構成では、各蓋に対応して錘１９０も二つ用意すると良い。その場合、錘１９０を載せる拡張オプション３００も二つ用意するとしても良い。
【００８２】
また、上述した実施形態における仕切り１３０は、１種類に限らず側板１３０ｂの高さ違いを複数種類用意しておいて、収容する景品の厚さに応じて選択・使用するとしても良い。
【００８３】
また、景品収容室１２８の区画手段を景品カートリッジ１１０に一体に設けることもできる。例えば、図２２に示すように、本体ケース１２４の側壁１２０に正面カバー嵌合溝１２０ｄと同様の仕切り板嵌合溝１２０ｆを奥行き方向に複数段設け、仕切り板１３０Ｂを適当な嵌合溝に嵌合させて景品の厚みに有った位置で景品収容室１２８を区切る構成としても良い。
【００８４】
また、上記実施形態では景品を景品収容室１２８内に収容する構成となっているが、景品の大きさによってはその一部が突出した状態となっても構わない。例えば棒状の景品の場合、ストッパー片１２６ａと突部１２６ｂを省略した仕様の正面カバー１２６を用意し景品収容室１２８の上部を開口させて棒状景品の上端を突出した状態で収容すると好適である。
【００８５】
また、上記実施形態では、錘１９０を、遊技媒体と接触して移動される可動物の例として挙げ、これを拡張オプション３００の上に載置して落ちやすく見せることでプレーヤのゲームへの興味や期待感を高める効果を得たが、可動物は錘に限らない。
例えば、固定テーブル上に景品を直接載置する場合には、これを可動物とみなして拡張オプション３００の上に載置するとしても、同様にプレーヤのゲームへの興味や期待感を高める効果が得られる。或いは、遊技媒体としてメダルを用いるプッシャー型メダルゲーム装置でなる遊戯装置において固定テーブル上に積み上げたメダルを可動物と見なし、拡張オプション３００の上に載置する構成とすることもできる。
【符号の説明】
【００８６】
２  プッシャー型景品払出ゲーム装置
５  遊技媒体（兼景品）
６  固定テーブル
８  プッシャーテーブル
１４  自動ショベル
１６  環状溝
２０  景品払出口
２２  景品取出口
２６  ステッピングモータ
５０  制御基板
１００  景品収容装置
１０２  ステー
１０８  Ｌ字片
１１０  景品カートリッジ
１１２  下端開口部
１２０  側壁
１２０ａ  嵌合突起
１２０ｂ  閂孔
１２０ｃ  仕切り支持突起
１２６  正面カバー
１２８  景品収容室
１３０  仕切り
１７０  蓋部
１７４  ケース
１７４ｃ  ロック片ガイド溝
１７８  スプリング
１８０  閂
１８４  ロック片
１９０  錘
１９２  ヒモ
３００  拡張オプション
３０２  拡張テーブル
３０４  クリップ
３０８  ストッパー
３００Ｂ  拡張オプション
３２０  拡張テーブル
３３２  マグネット
３４０  固定部
３４２  挟持プレート
３５０  取付係合部
３５２  スプリング
３５４  ヒンジ
３５６  メインプレート
３５８  サブプレート
【図１】
0003170040.tif 000003
【図２】
0003170040.tif 000004
【図３】
0003170040.tif 000005
【図４】
0003170040.tif 000006
【図５】
0003170040.tif 000007
【図６】
0003170040.tif 000008
【図７】
0003170040.tif 000009
【図８】
0003170040.tif 000010
【図９】
0003170040.tif 000011
【図１０】
0003170040.tif 000012
【図１１】
0003170040.tif 000013
【図１２】
0003170040.tif 000014
【図１３】
0003170040.tif 000015
【図１４】
0003170040.tif 000016
【図１５】
0003170040.tif 000017
【図１６】
0003170040.tif 000018
【図１７】
0003170040.tif 000019
【図１８】
0003170040.tif 000020
【図１９】
0003170040.tif 000021
【図２０】
0003170040.tif 000022
【図２１】
0003170040.tif 000023
【図２２】
0003170040.tif 000024